(57)【要約】【課題】光分割素子の取り付け作業を容易かつ速やかに行うことが可能な光ピックアップを提供する。【解決手段】この光ピックアップ１は、光ディスク２００に光を照射する光源１０と、光ディスク２００からの戻り光を分割しそれぞれ異なる方向に離散させることにより、光ディスク信号処理に用いる信号光（ＬＢ１、ＬＢ２）と、光ディスク信号処理には用いない位置調整光ＬＢ３とを生成する光分割素子２０と、信号光を受光する受光素子３３〜３６と、位置調整光ＬＢ３を受光する受光素子３７ａおよび３７ｂとを有する受光部３０とを備える。光分割素子２０は、受光部３０における受光素子３７ａおよび３７ｂによって受光された位置調整光ＬＢ３に基づいて位置調整されるように構成されている。【選択図】図２
2014154181.tif 000002
【特許請求の範囲】
【請求項１】
光ディスクに光を照射する光源と、
前記光ディスクからの戻り光を分割しそれぞれ異なる方向に離散させることにより、光ディスク信号処理に用いる信号光と、光ディスク信号処理に用いない位置調整光とを生成する光分割素子と、
前記信号光を受光する信号光受光部と、前記位置調整光を受光する調整光受光部とを有する受光部とを備え、
前記光分割素子は、前記受光部における前記調整光受光部によって受光された前記位置調整光に基づいて位置調整されるように構成されている、光ピックアップ。
【請求項２】
前記光分割素子は、前記信号光を分割して前記光ディスクのトラック溝による干渉光を含む第１信号光と、前記干渉光を含まない第２信号光とを生成するとともに、前記受光部の受光面における前記位置調整光の集光位置が、前記第１信号光の集光位置と前記第２信号光の集光位置との間の位置に配置されるように構成されている、請求項１に記載の光ピックアップ。
【請求項３】
前記受光部の受光面上における前記位置調整光の集光スポットは、０次光の集光位置を中心とした円周方向における前記位置調整光の集光スポットの両端が、前記調整光受光部の受光面内で、かつ、前記受光面の前記円周方向における両端近傍に配置される集光スポット形状を有する、請求項１または２に記載の光ピックアップ。
【請求項４】
前記受光部の受光面上における前記位置調整光の集光スポットは、０次光の集光位置を中心とした半径方向における前記位置調整光の集光スポットの長さが、前記調整光受光部の前記半径方向の長さよりも大きい集光スポット形状を有する、請求項１〜３のいずれか１項に記載の光ピックアップ。
【請求項５】
前記光分割素子は、前記受光部の受光面上において、０次光の集光位置から前記位置調整光の集光位置までの距離が、０次光の集光位置から前記信号光の集光位置までの距離よりも大きくなるように構成されている、請求項１〜４のいずれか１項に記載の光ピックアップ。
【請求項６】
前記調整光受光部は、０次光の集光位置を中心とした半径方向に延びる中央線を境界とする一対の受光領域からなり、
前記受光部の受光面上における前記位置調整光の集光スポットは、前記中央線上にスポット中心が位置した場合に、前記中央線を挟む両側の面積が等しい集光スポット形状を有する、請求項１〜５のいずれか１項に記載の光ピックアップ。
【請求項７】
前記受光部の受光面上における前記位置調整光の集光スポットは、０次光の集光位置を中心とした円周方向の中央部における前記半径方向の長さが最大となる集光スポット形状を有する、請求項６に記載の光ピックアップ。
【請求項８】
前記光分割素子は、信号光と、位置調整光とを分割しそれぞれ異なる方向に離散させる複数の回折格子を有し、
前記位置調整光用の回折格子は、前記光分割素子のうち、前記光ディスクからの戻り光が透過する領域の中央部に配置されている、請求項１〜７のいずれか１項に記載の光ピックアップ。
【請求項９】
光ディスクに光を照射して前記光ディスクからの戻り光を検出する光ピックアップと、
前記光ピックアップの出力信号に基づいて前記光ディスクの再生制御を行う制御部とを備え、
前記光ピックアップは、
光ディスクに光を照射する光源と、
前記光ディスクからの戻り光を分割しそれぞれ異なる方向に離散させることにより、光ディスク信号処理に用いる信号光と、光ディスク信号処理に用いない位置調整光とを生成する光分割素子と、
前記信号光を受光する信号光受光部と、前記位置調整光を受光する調整光受光部とを有する受光部とを含み、
前記光分割素子は、前記受光部における前記調整光受光部によって受光された前記位置調整光に基づいて位置調整されるように構成されている、光ディスク装置。
【発明の詳細な説明】
【技術分野】
【０００１】
この発明は、光ピックアップおよび光ディスク装置に関し、特に、光ディスクからの戻り光を分割する光分割素子を備えた光ピックアップおよび光ディスク装置に関する。
【背景技術】
【０００２】
従来、光分割素子を備えた光ピックアップが知られている（たとえば、特許文献１参照）。
【０００３】
上記特許文献１に記載の光ピックアップは、ホログラム素子（光分割素子）と、複数の受光素子を有する光検出器とを備えている。ホログラム素子は、光ディスクからの戻り光を０次光および±１次光の３つに分割して異なる方向に回折させ、分割した戻り光をそれぞれ信号光として受光素子に個別に受光させる。信号光を受光した各受光素子の出力信号からトラッキングエラー信号やデータ信号が生成され、これらの信号が光ディスクの再生時の信号処理や制御に用いられる。
【０００４】
集光スポットの位置ずれは信号出力に大きな影響を与えるため、光ピックアップのホログラム素子と光検出器とは、高い精度で位置決めされる必要がある。そこで、光ピックアップへのホログラム素子の取り付け時には、実際に戻り光を受光させて出力信号を検出しながら取り付け位置の微調整が行われる。ホログラム素子の取り付け位置調整では、戻り光の光軸に対する直交面方向のホログラム素子の位置を適正に配置した上で、光軸回りのホログラム素子の回転位置を調整する。ホログラム素子を光軸回りに回転させると、分割されたそれぞれの信号光が光検出器の受光面に形成する集光スポットは、光軸中心である０次光の集光位置を中心として円周方向に回転する。そして、ホログラム素子を光軸回りに回転させたときの各受光素子の出力信号の増減に基づいて、適切な回転位置が決定される。
【先行技術文献】
【特許文献】
【０００５】
【特許文献１】特開２００１−３１２８２９号公報
【発明の概要】
【発明が解決しようとする課題】
【０００６】
上記特許文献１のような光ピックアップでは、一般に、受光面上に集光された信号光の集光スポットは、各受光素子の受光面の大きさよりも十分に小さくする必要がある。これは、ホログラム素子や受光素子を含む光学系全体の製造上の誤差や経時変化、熱的な膨張収縮などに起因して各部に位置ずれが発生し、受光素子に対して集光スポット位置がずれた場合にも、確実に信号出力を行うようにするためである。
【０００７】
しかしながら、このように集光スポットが受光面に対して小さいと、ホログラム素子の取り付け位置調整の際にホログラム素子の回転角度を僅かに変化させただけでも出力信号が大きく変化するとともに、最適な回転位置の近傍の狭い領域で回転位置調整をすることになる。このため、ホログラム素子の回転位置を適正位置の近傍で何度も変化させて適正な取り付け位置（回転位置）を見出す必要がある。このため、上記特許文献１のような光ピックアップでは、ホログラム素子（光分割素子）の取り付け作業工程が困難で時間がかかるという問題点がある。
【０００８】
この発明は、上記のような課題を解決するためになされたものであり、この発明の１つの目的は、光分割素子の取り付け作業を容易かつ速やかに行うことが可能な光ピックアップおよび光ディスク装置を提供することである。
【課題を解決するための手段】
【０００９】
この発明の第１の局面による光ピックアップは、光ディスクに光を照射する光源と、光ディスクからの戻り光を分割しそれぞれ異なる方向に離散させることにより、光ディスク信号処理に用いる信号光と、光ディスク信号処理に用いない位置調整光とを生成する光分割素子と、信号光を受光する信号光受光部と、位置調整光を受光する調整光受光部とを有する受光部とを備え、光分割素子は、受光部における調整光受光部によって受光された位置調整光に基づいて位置調整されるように構成されている。
【００１０】
この発明の第１の局面による光ピックアップでは、上記のように、光ディスク信号処理に用いない位置調整光を生成する光分割素子と、位置調整光を受光する調整光受光部を有する受光部とを設けるとともに、光分割素子を、受光部における調整光受光部によって受光された位置調整光に基づいて位置調整されるように構成することによって、ディスク再生時の信号処理（信号再生やトラッキング制御など）に用いない位置調整用の位置調整光および調整光受光部を用いて、光分割素子の回転位置調整を行うことができる。この場合、信号処理に用いない位置調整光および調整光受光部については、経時変化、熱的な膨張収縮などに起因した集光スポットの位置ずれを考慮する必要がないので、信号光の集光スポットの場合よりも、位置調整光の集光スポットの調整光受光部の受光面に対する大きさをより大きくすることができる。これにより、集光スポットが受光面に対して小さいことにより最適な回転位置の近傍の狭い領域で回転位置調整をする場合と異なり、光分割素子の角度変化に対する調整光受光部の信号出力を広い角度範囲で連続的に変化させることができるので、光分割素子の最適な回転位置を容易に発見することができる。その結果、光分割素子の取り付け作業（回転位置調整）を容易かつ速やかに行うことができる。
【００１１】
上記第１の局面による光ピックアップにおいて、好ましくは、光分割素子は、信号光を分割して光ディスクのトラック溝による干渉光を含む第１信号光と、干渉光を含まない第２信号光とを生成するとともに、受光部の受光面における位置調整光の集光位置が、第１信号光の集光位置と第２信号光の集光位置との間の位置に配置されるように構成されている。このように構成すれば、受光部では、予め設定された所定の角度間隔（たとえば約９０度）で設けられた再生時の光ディスク信号処理に用いる第１信号光用および第２信号光用の２つの信号光受光部の間の位置に調整光受光部が配置されるので、信号光受光部に加えて調整光受光部を設ける場合にも、受光部全体のサイズ（受光面の面積）が大型化するのを抑制することができる。
【００１２】
上記第１の局面による光ピックアップにおいて、好ましくは、受光部の受光面上における位置調整光の集光スポットは、０次光の集光位置を中心とした円周方向における位置調整光の集光スポットの両端が、調整光受光部の受光面内で、かつ、受光面の円周方向における両端近傍に配置される集光スポット形状を有する。このように構成すれば、光分割素子の取り付け作業において光分割素子を回転させる場合に、調整光受光部の円周方向の寸法分の略全域を利用して、光分割素子の回転位置調整を行うことができる。これにより、より広い回転角度範囲で調整光受光部の信号出力を変化させることができるので、光分割素子の回転位置調整をさらに容易に行うことができる。
【００１３】
上記第１の局面による光ピックアップにおいて、好ましくは、受光部の受光面上における位置調整光の集光スポットは、０次光の集光位置を中心とした半径方向における位置調整光の集光スポットの長さが、調整光受光部の半径方向の長さよりも大きい集光スポット形状を有する。このように構成すれば、製造上の誤差などにより受光部と光分割素子との光軸方向の間隔が設計値からずれる場合にも、位置調整光を調整光受光部に受光させることができる。すなわち、受光部と光分割素子との光軸方向の間隔が大きくなれば、位置調整光の集光スポットは０次光の集光スポットから半径方向に遠ざかり、受光部と光分割素子との光軸方向の間隔が小さくなれば、位置調整光の集光スポットは０次光の集光スポットへ半径方向に近付くことになる。そこで、本発明では、半径方向における位置調整光の集光スポットの長さを調整光受光部の半径方向の長さよりも大きくすることにより、位置調整光の集光スポット位置が半径方向にずれた場合にも、位置調整光の集光スポットを調整光受光部上に配置させることができる。
【００１４】
上記第１の局面による光ピックアップにおいて、好ましくは、光分割素子は、受光部の受光面上において、０次光の集光位置から位置調整光の集光位置までの距離が、０次光の集光位置から信号光の集光位置までの距離よりも大きくなるように構成されている。ここで、光ディスクが多層ディスクである場合には、再生（または記録）対象の記録層以外の記録層からの戻り光（いわゆる迷光）が受光部に入射し、受光部の出力信号を劣化させる原因となる（ノイズとなる）。光分割素子が戻り光を分割して信号光のみならず位置調整光も生成する場合には、迷光も同様に分割され、信号光および位置調整光の各集光スポット付近にそれぞれ分割された迷光が集光される。そこで、本発明では、０次光の集光位置から位置調整光の集光位置までの距離が、０次光の集光位置から信号光の集光位置までの距離よりも大きくなるように光分割素子を構成することによって、位置調整光の集光スポットの付近に集光される迷光を信号光の集光スポット（すなわち信号光受光部）から離間させることができるので、迷光が信号光受光部に受光されるのを抑制することができる。
【００１５】
上記第１の局面による光ピックアップにおいて、好ましくは、調整光受光部は、０次光の集光位置を中心とした半径方向に延びる中央線を境界とする一対の受光領域からなり、受光部の受光面上における位置調整光の集光スポットは、中央線上にスポット中心が位置した場合に、中央線を挟む両側の面積が等しい集光スポット形状を有する。このように構成すれば、光分割素子の取り付け作業において光分割素子を回転させる場合に、一対の受光領域の各出力信号レベルを比較することにより、一対の受光領域の中央線上に位置調整光の集光スポットのスポット中心が配置されるときの光分割素子の回転位置を正確に特定することができる。このため、この中央線上の位置が適正な取り付け位置となるように光分割素子（および受光部）を設計することにより、光分割素子の回転位置調整を容易かつ高精度に行うことができる。
【００１６】
この場合、好ましくは、受光部の受光面上における位置調整光の集光スポットは、０次光の集光位置を中心とした円周方向の中央部における半径方向の長さが最大となる集光スポット形状を有する。このように構成すれば、光分割素子の回転位置調整において、位置調整光の集光スポット中心が一対の受光領域の中央線近傍にある場合の各受光領域での受光面積の変化を大きくすることができる。すなわち、たとえば光分割素子の回転に伴って位置調整光の集光スポット中心が一対の受光領域の中央線を通り過ぎる場合、一方の受光領域の受光面積が減少し、他方の受光領域の受光面積が増大する。この際、たとえば集光スポットの中央部における半径方向の長さが小さく、集光スポット形状が集光スポット中心に向けて収束するような形状の場合、中央線を横切る集光スポット中心での半径方向の長さが小さいため、各受光領域での受光面積の変化量が小さくなる。これに対して、集光スポットの中央部における半径方向の長さが最大となる場合、中央線を横切る半径方向の長さが大きいので、各受光領域での受光面積の変化量が大きくなる。これにより、中央線近傍の回転位置における出力信号レベルの変化を容易に把握することができるので、光分割素子の回転位置調整をより容易に行うことができる。
【００１７】
上記第１の局面による光ピックアップにおいて、好ましくは、光分割素子は、信号光と、位置調整光とを分割しそれぞれ異なる方向に離散させる複数の回折格子を有し、位置調整光用の回折格子は、光分割素子のうち、光ディスクからの戻り光が透過する領域の中央部に配置されている。このように構成すれば、戻り光が透過する領域のうち、トラッキング制御などに用いる周辺部を除いた中央部の光束（戻り光）を分割することによって、容易に、光ディスク信号処理には用いずに位置調整に用いる位置調整光を生成することができる。
【００１８】
この発明の第２の局面による光ディスク装置は、光ディスクに光を照射して光ディスクからの戻り光を検出する光ピックアップと、光ピックアップの出力信号に基づいて光ディスクの再生制御を行う制御部とを備え、光ピックアップは、光ディスクに光を照射する光源と、光ディスクからの戻り光を分割しそれぞれ異なる方向に離散させることにより、光ディスク信号処理に用いる信号光と、光ディスク信号処理に用いない位置調整光とを生成する光分割素子と、信号光を受光する信号光受光部と、位置調整光を受光する調整光受光部とを有する受光部とを含み、光分割素子は、受光部における調整光受光部によって受光された位置調整光に基づいて位置調整されるように構成されている。
【００１９】
この発明の第２の局面による光ディスク装置では、上記のように、光ディスク信号処理に用いない位置調整光を生成する光分割素子と、位置調整光を受光する調整光受光部を有する受光部とを光ピックアップに設けるとともに、光分割素子を、受光部における調整光受光部によって受光された位置調整光に基づいて位置調整されるように構成することによって、ディスク再生時の信号処理（信号再生やトラッキング制御など）に用いない位置調整用の位置調整光および調整光受光部を用いて、光分割素子の回転位置調整を行うことができる。この場合、信号処理に用いない位置調整光および調整光受光部については、経時変化、熱的な膨張収縮などに起因した集光スポットの位置ずれを考慮する必要がないので、信号光の集光スポットの場合よりも、位置調整光の集光スポットの調整光受光部の受光面に対する大きさをより大きくすることができる。これにより、集光スポットが受光面に対して小さいことにより最適な回転位置の近傍の狭い領域で回転位置調整をする場合と異なり、光分割素子の角度変化に対する調整光受光部の信号出力を最適回転位置に向けて連続的に変化させることができるので、光分割素子の最適な回転位置を容易に発見することができる。その結果、光分割素子の取り付け作業（回転位置調整）を容易かつ速やかに行うことができる。
【発明の効果】
【００２０】
本発明によれば、上記のように、光分割素子の取り付け作業を容易かつ速やかに行うことができる。
【図面の簡単な説明】
【００２１】
【図１】本発明の一実施形態による光ディスク装置の全体の構成を示した概略図である。
【図２】本発明の一実施形態による光ディスク装置の光ピックアップの構成を示した概略図である。
【図３】本発明の一実施形態による光ピックアップの光分割素子の回折領域を示した概略図である。
【図４】光分割素子のそれぞれの回折領域に形成された回折パターンのイメージを示した図である。
【図５】光ピックアップの受光部の受光面上における受光素子の配置と各集光スポットの位置とを示した概略図である。
【図６】図５に示した位置調整光の集光スポットと位置調整光用の受光素子とを説明するための拡大図である。
【図７】本発明の一実施形態による光ピックアップの光分割素子の変形例における回折パターンの例を示したイメージ図である。
【発明を実施するための形態】
【００２２】
以下、本発明の実施形態を図面に基づいて説明する。
【００２３】
図１を参照して、本発明の一実施形態による光ディスク装置１００の構成について説明する。
【００２４】
本実施形態による光ディスク装置１００は、光ディスク２００としてのＢＤ（Ｂｌｕ−ｒａｙ（登録商標）  Ｄｉｓｃ）などを再生可能に構成されている。具体的には、光ディスク装置１００は、光ピックアップ１と、ＲＦアンプ２と、再生処理回路３と、出力回路４とを備えている。さらに、光ディスク装置１００には、ドライバ５と、送りモータ６と、スピンドルモータ７と、制御部８とが設けられている。
【００２５】
光ピックアップ１は、光ディスク２００にレーザビーム（光ビーム）を照射して光ディスク２００からの戻り光を検出することにより、光ディスク２００に記録された各種情報（音声情報や映像情報など）を読み取る機能を有している。なお、光ピックアップ１の詳細な構成については後述する。
【００２６】
ＲＦアンプ２は、光ピックアップ１により読み取られた各種情報に基づく信号を増幅する機能を有している。再生処理回路３は、制御部８を介してＲＦアンプ２により増幅された信号を取得し、その信号に対して再生のための各種の処理（たとえば、画像処理など）を施すように構成されている。出力回路４は、光ディスク２００に記録された映像および音声をそれぞれ図示しないモニタおよびスピーカにより出力するために、再生処理回路３により処理が施された信号に対してＤ／Ａ変換処理を行うように構成されている。
【００２７】
ドライバ５は、制御部８からの指示に基づいて、送りモータ６およびスピンドルモータ７の動作を制御するように構成されている。また、ドライバ５は、制御部８からの指示に基づいて、光ピックアップ１の内部に設けられた後述のアクチュエータ１６およびＢＥＸ（Ｂｅａｍ  Ｅｘｐａｎｄｅｒ）モータ１７（図２参照）の動作も制御するように構成されている。送りモータ６は、光ピックアップ１を光ディスク２００の径方向に移動させる機能を有している。スピンドルモータ７は、光ディスク２００を回転させる機能を有している。
【００２８】
制御部８は、光ピックアップ１の内部に設けられた後述の受光部３０（図２参照）から出力される信号に基づいて、再生信号、フォーカスエラー（ＦＥ）信号およびトラッキングエラー（ＴＥ）信号を生成するように構成されている。また、制御部８は、光ディスク２００の再生時に、ＦＥ信号に基づいてフォーカスサーボ制御を行うとともに、ＴＥ信号に基づいてトラッキングサーボ制御を行うように構成されている。
【００２９】
次に、図２〜図６を参照して、本実施形態による光ディスク装置１００の光ピックアップ１の構成について詳細に説明する。
【００３０】
図２に示すように、光ピックアップ１には、光源１０と、ハーフミラー１１と、コリメートレンズ１２と、ミラー１３と、１／４波長板１４と、対物レンズ１５と、アクチュエータ１６と、ＢＥＸモータ１７と、光分割素子２０と、受光部３０とを主として含んでいる。これらの光ピックアップ１を構成する各部は、適切な位置に位置決めされた状態で図示しないケース内に収容されている。
【００３１】
光源１０は、ＢＤ用の４０５ｎｍ帯の青色レーザビームを出射可能なＬＤからなる。
【００３２】
ハーフミラー１１は、光源１０から出射されたレーザビームを反射させるとともに、光ディスク２００からの戻り光を透過するように構成されている。
【００３３】
コリメートレンズ１２は、ハーフミラー１１側から到達するレーザビームを平行光に変換する機能を有している。コリメートレンズ１２は、ＢＥＸモータ１７によって光軸方向に移動可能に構成されている。コリメートレンズ１２が光軸方向に移動されることにより、コリメートレンズ１２を透過したレーザビームの状態が発散光となったり収束光となったりする。これにより、光ピックアップ１の球面収差の調整が行われる。
【００３４】
ミラー１３は、コリメートレンズ１２側から到達するレーザビームを光ディスク２００側に反射するとともに、光ディスク２００側から到達する光ディスク２００による反射光をコリメートレンズ１２側に反射する。また、ミラー１３は、光ディスク２００の記録面に対して略直交する方向に向けてコリメートレンズ１２側から到達するレーザビームを反射するように構成されている。
【００３５】
１／４波長板１４は、直線偏光を円偏光に変換するとともに、円偏光を直線偏光に変換する機能を有している。そして、１／４波長板１４は、ミラー１３側から到達する直線偏光のレーザビームを円偏光に変換して対物レンズ１５に導くとともに、光ディスク２００により反射された円偏光のレーザビーム（戻り光）を直線偏光に変換してミラー１３に導く。
【００３６】
対物レンズ１５は、ミラー１３側から到達するレーザビームを光ディスク２００の記録面上に集光させる機能を有している。また、対物レンズ１５は、アクチュエータ１６により、光ディスク２００の記録面に直交する方向（フォーカス方向）および光ディスク２００の径方向（トラッキング方向）に移動可能に構成されており、フォーカスサーボ制御およびトラッキングサーボ制御によりその位置が移動される。
【００３７】
アクチュエータ１６は、ドライバ５（図１参照）で生成された対物レンズ駆動信号に基づいて、対物レンズ１５を光ディスク２００の径方向に移動させる。これにより、トラッキング動作が実行される。また、アクチュエータ１６は、ドライバ５で生成された対物レンズ駆動信号に基づいて、対物レンズ１５を光ディスク２００の記録面に対して直交する方向に移動させる。これにより、フォーカス動作が実行される。
【００３８】
光分割素子２０には、光ディスク２００で反射された戻り光が、対物レンズ１５、１／４波長板１４、ミラー１３、コリメートレンズ１２およびハーフミラー１１を介して到達する。光分割素子２０は、複数の回折パターン（回折格子）が形成されたホログラム素子からなり、光ディスク２００からの戻り光を分割してそれぞれ異なる方向に離散させる。これにより、光分割素子２０は、光ディスク２００の信号処理に用いる信号光（後述する第１信号光ＬＢ１および第２信号光ＬＢ２）と、光ディスク２００の信号処理には用いない位置調整光ＬＢ３とを生成するように構成されている。なお、第１信号光ＬＢ１および第２信号光ＬＢ２は、本発明の「信号光」の一例である。
【００３９】
図３に示すように、光分割素子２０は、戻り光の光束ＬＢが受光面の中央で受光されるように配置されている。光分割素子２０は、矩形形状の受光面が７分割されることにより、７つの回折領域２１ａ〜２１ｇを有している。なお、図３では、直交するＸ軸およびＹ軸のうち、トラッキング方向をＹ軸、トラックの接線方向をＸ軸にとっている。図４に示すように、これらの回折領域２１ａ〜２１ｇには、それぞれ異なる回折パターン（回折格子）２２ａ〜２２ｇが形成されている。図４では、説明のため便宜的に、それぞれの回折領域２１ａ〜２１ｇの回折パターン２２ａ〜２２ｇを、図３の回折領域２１ａ〜２１ｇの配置に対応付けて並べている。なお、回折パターン２２ａ〜２２ｇは、それぞれ、本発明の「回折格子」の一例である。
【００４０】
図２に示すように、受光部３０は、シリンドリカルレンズ３１と、後述する複数の受光素子とを含んでいる。シリンドリカルレンズ３１は、受光部３０の受光面３０ａ上に設けられる受光素子上に信号光（第１信号光ＬＢ１および第２信号光ＬＢ２）および位置調整光ＬＢ３を集光させる。受光部３０は、フォトダイオードなどの受光素子を用いて受光した光情報を電気信号に変換するとともに、その電気信号を制御部８（図１参照）に出力する機能を有している。
【００４１】
受光部３０は、図５に示すように、縦方向および横方向に均等に４分割された４つのメイン受光素子３２ａ、３２ｂ、３２ｃおよび３２ｄと、受光素子３３、３４、３５および３６と、一対の受光素子３７ａおよび３７ｂとを含んでいる。そして、受光部３０は、受光素子毎に個別に光電変換を行って電気信号を出力するように構成されている。メイン受光素子３２ａ〜３２ｄは、０次回折光（メインビーム）を４分割して受光する受光素子である。後述するように、受光素子３３〜３６は、信号光（第１信号光ＬＢ１および第２信号光ＬＢ２）を受光する受光素子であり、受光素子３７ａおよび３７ｂは、位置調整光ＬＢ３を受光する受光素子である。なお、受光素子３３〜３６は、それぞれ、本発明の「信号光受光部」の一例である。また、受光素子３７ａおよび３７ｂは、それぞれ、本発明の「調整光受光部」および「受光領域」の一例である。
【００４２】
ここで、光分割素子２０の各回折領域２１ａ〜２１ｇの構成と、受光部３０の各受光素子３３〜３６、受光素子３７ａおよび３７ｂの配置とについて説明する。
【００４３】
図３に示すように、光分割素子２０は、まず、Ｙ方向に延びる分割線２３および２４によってＸ方向に３分割されるとともに、３分割されたＸ方向両側の２領域が、それぞれＸ方向に延びる分割線２５によってＹ方向に２分割されている。これにより、トラック接線方向（Ｘ方向）の両側で、それぞれトラッキング方向（Ｙ方向）に２分割された回折領域２１ａおよび２１ｂと、回折領域２１ｃおよび２１ｄとが形成されている。
【００４４】
Ｘ方向中央（分割線２３および２４の間）の領域は、Ｙ方向中央部を挟んで両側に形成された一対の傾斜分割線２６および２７によってＹ方向に３分割されている。これにより、トラック接線方向（Ｘ方向）の中央部では、トラッキング方向（Ｙ方向）の両側の回折領域２１ｅおよび２１ｆと、Ｙ方向の中央の回折領域２１ｇとが形成されている。本実施形態では、一対の傾斜分割線２６および２７は平行であり、回折領域２１ｇは平行四辺形状に形成されている。回折領域２１ｇの底辺（Ｙ方向に延びる辺）の幅はＷ１であり、回折領域２１ｇの底辺からの高さ（Ｘ方向長さ）はＨ１である。
【００４５】
これらの各回折領域２１ａ〜２１ｇによって、光分割素子２０を透過するレーザビームの光束ＬＢからは、トラッキング方向（Ｙ方向）の両側部分で分割した第１信号光ＬＢ１と、トラック接線方向（Ｘ方向）の両側部分で分割した第２信号光ＬＢ２と、光束ＬＢの透過領域の中央部で分割した位置調整光ＬＢ３とが生成される。ここで、第１信号光ＬＢ１は、光束ＬＢのうち、光ディスク２００のトラック溝による干渉光（±１次光）を含む部分が分割された信号光であり、第２信号光ＬＢ２は、トラック溝による干渉光（±１次光）を含まない部分が分割された信号光である。位置調整光ＬＢ３は、その受光信号がトラッキングサーボ制御のためのＴＥ信号や光ディスク２００の再生信号などとしては使用されない（光ディスク信号処理には使用されない）分割光であり、後述する光分割素子２０の取り付け時にのみ使用される光分割素子２０の位置調整専用の分割光である。それぞれの回折領域２１ａ〜２１ｇは、形成された回折パターン２２ａ〜２２ｇ（図４参照）によって、光束ＬＢから分割した第１信号光ＬＢ１、第２信号光ＬＢ２および位置調整光ＬＢ３を、それぞれ異なる方向に向けて回折して受光部３０に集光させるように構成されている。
【００４６】
より具体的には、図５に示すように、トラッキング方向（Ｙ方向）の一方側の回折領域２１ａおよび２１ｃ（図３参照）によって生成された第２信号光ＬＢ２は、略Ｘ方向（ｄｆ２方向）に向けて回折され、受光部３０の受光面３０ａ上で円形の集光スポット４１を形成する。また、トラッキング方向（Ｙ方向）の他方方側の回折領域２１ｂおよび２１ｄ（図３参照）によって生成された第２信号光ＬＢ２は、略Ｘ方向（ｄｆ２方向）に向けて回折され、受光部３０の受光面３０ａ上で円形の集光スポット４２を形成する。集光スポット４２は、集光スポット４１よりも０次光の集光スポット（以下、０次光スポット４０という）に近い位置に集光される。これらの集光スポット４１および４２の集光位置には、それぞれ受光素子３３および３４が配置されている。
【００４７】
また、Ｘ方向中央部でトラッキング方向（Ｙ方向）の一方側の回折領域２１ｅ（図３参照）によって生成された第１信号光ＬＢ１は、略Ｙ方向（ｄｆ１方向）に向けて回折され、受光部３０の受光面３０ａ上で円形の集光スポット４３を形成する。また、トラッキング方向（Ｙ方向）の他方方側の回折領域２１ｆ（図３参照）によって生成された第１信号光ＬＢ１は、略Ｙ方向（ｄｆ１方向）に向けて回折され、受光部３０の受光面３０ａ上で円形の集光スポット４４を形成する。集光スポット４４は、集光スポット４３よりも０次光スポット４０に近い位置に集光される。これらの集光スポット４３および４４の集光位置には、それぞれ受光素子３５および３６が配置されている。
【００４８】
このように、トラック接線方向（Ｘ方向）側に向けて２分割された第２信号光ＬＢ２が受光素子３３（集光スポット４１）および受光素子３４（集光スポット４２）によってそれぞれ受光され、トラッキング方向（Ｙ方向）側に向けて２分割された第１信号光ＬＢ１が受光素子３５（集光スポット４３）および受光素子３６（集光スポット４４）によってそれぞれ受光される。これらの各受光素子３３〜３６の出力信号から、制御部８によりＴＥ信号が生成され、トラッキングサーボ制御が行われる。
【００４９】
一方、図５に示すように、中央の回折領域２１ｇ（図３参照）によって生成された位置調整光ＬＢ３は、０次光スポット４０を中心とした円周方向Ｃにおいて、第１信号光ＬＢ１の集光位置（集光スポット４３および４４）と第２信号光ＬＢ２の集光位置（集光スポット４１および４２）との間の位置に向けて回折され、受光部３０の受光面上で集光スポット４５を形成する。集光スポット４５の集光位置には、０次光スポット４０を中心とする半径方向Ｒを境界として、円周方向Ｃに並ぶ２つの受光素子３７ａおよび３７ｂが配置されている。
【００５０】
位置調整光ＬＢ３は、第１信号光ＬＢ１の回折方向ｄｆ１と第２信号光ＬＢ２の回折方向ｄｆ２とのなす角を略２等分する回折方向ｄｆ３に向けて回折される。また、位置調整光ＬＢ３は、位置調整光ＬＢ３の集光位置（スポット中心４５ａ）と０次光スポット４０との距離Ｄ３が、第１信号光ＬＢ１の集光位置と０次光スポット４０との距離Ｄ１および第２信号光ＬＢ２の集光位置と０次光スポット４０との距離Ｄ２よりも大きくなるように（０次光スポット４０から離れるように）回折される。なお、集光スポット４５の集光位置（スポット中心４５ａ）は、距離Ｄ２およびＤ３を各辺とする矩形領域内に収まっている。
【００５１】
また、位置調整光ＬＢ３の集光スポット４５は、図６に示すように、０次光スポット４０を中心とする半径方向Ｒに沿った方向の長軸（長い方の対角線）と、円周方向Ｃ（Ｃの接線方向）に沿った方向の短軸（短い方の対角線）とを有する菱形の集光スポット形状を有する。したがって、集光スポット４５は、０次光スポット４０を中心とした円周方向Ｃの中央部で、半径方向Ｒの長さが最大のＬ１となる形状を有する。また、集光スポット４５の半径方向Ｒの長さＬ１（最大長さ）は、２つの受光素子３７ａ（３７ｂ）の半径方向Ｒの長さＬ２よりも大きく、集光スポット４５が受光素子３７ａ（３７ｂ）から半径方向Ｒにはみ出す。
【００５２】
また、集光スポット４５は、スポット中心４５ａが２つの受光素子３７ａ（３７ｂ）の中央線（境界線）３７ｃ上に位置する状態で、円周方向Ｃ（短軸方向）の両端が、それぞれ２つの受光素子３７ａ（３７ｂ）の受光面内で、かつ、円周方向Ｃの両端部３７ｄの近傍の位置に配置される形状（幅Ｗ２）を有する。本実施形態では、集光スポット４５の幅Ｗ２は、受光素子３７ａおよび３７ｂの合計幅Ｗ３の８０％〜９０％程度とするのが好ましい。また、集光スポット４５は、中央線３７ｃ上にスポット中心４５ａが位置した場合に、中央線３７ｃを挟む両側の面積が等しい集光スポット形状を有する。本実施形態では、集光スポット４５は、円周方向Ｃに沿って左右対称である。
【００５３】
なお、光分割素子２０と受光部３０とは、図５に示すように、集光スポット４５のスポット中心４５ａが２つの受光素子３７ａ（３７ｂ）の中央線３７ｃ上に位置する状態（回転位置）で、各集光スポット４１〜４４がそれぞれの受光素子３３〜３６の中央に位置付けられるように構成されている。
【００５４】
このような光分割素子２０は、受光部３０の各受光素子に対する集光スポット４１〜４５に対応させて、それぞれの回折領域２１ａ〜２１ｇの回折パターン２２ａ〜２２ｇを形成することにより、実現されている。
【００５５】
回折領域の回折パターンは、下記の位相関数Φによって表される。
Φ［rad］＝ａ１＋ａ２ｘ＋ａ３ｙ＋ａ４ｘ２＋ａ５ｘｙ＋ａ６ｙ２
ｘ［ｍｍ］およびｙ［ｍｍ］は、それぞれＸ軸方向およびＹ軸方向の位置を表す。係数ａ１〜ａ３は、格子間隔の大きさに関係する係数であり、係数ａ４〜ａ６は、格子パターンのスリットの曲率に関係する係数である。位相関数の各係数ａ１〜ａ６を適切に設定することにより、それぞれの回折領域２１ａ〜２１ｇについて、上記の構成（集光スポット４１〜４５の位置および形状）を実現する回折パターン２２ａ〜２２ｇがそれぞれ決定される。また、集光スポットの形状は、位相関数Φに加えて、回折領域２１ａ〜２１ｇの形状によっても変化する。集光スポット４５は、図４に示す回折パターン２２ｇと、図３に示す回折領域２１ｇの平行四辺形状とによって、図６に示す半径方向Ｒの長さＬ１、円周方向Ｃの幅Ｗ２の菱形形状に形成されている。
【００５６】
次に、光ピックアップ１における光分割素子２０の取り付け時の位置調整について説明する。上述の通り、光ピックアップ１を構成する各部は、図５に示す光学的位置関係（各集光スポットと各受光素子との位置関係）が保たれるように、図示しないケース内に固定的に取り付けられる。光分割素子２０の取り付け時には、実際に戻り光を受光させて受光素子の出力信号を検出しながら光分割素子２０の取り付け位置調整が行われる。取り付け位置調整は、戻り光の光軸方向に対する直交面方向の光分割素子２０の位置を適正に配置した上で、光分割素子２０の光軸回りの回転位置を調整する。
【００５７】
光分割素子２０を光軸回りに回転させると、図５に示した各集光スポット４１〜４５は、光軸中心である０次光の集光位置（０次光スポット４０）を中心に円周方向Ｃに回転する。本実施形態では、光分割素子２０は、受光部３０における受光素子３７ａおよび３７ｂによって受光された位置調整光ＬＢ３に基づいて位置調整されるように構成されている。すなわち、集光スポット４５として集光される位置調整光ＬＢ３の受光信号（受光素子３７ａおよび３７ｂの出力信号）に基づいて、光分割素子２０の回転位置調整が行われる。
【００５８】
具体的には、図５および図６に示すように、集光スポット４５のスポット中心４５ａが受光素子３７ａおよび３７ｂの中央線３７ｃ上に位置する状態においては、受光素子３７ａの受光面積（集光スポット４５が受光素子３７ａと重なる部分の面積）と受光素子３７ｂの受光面積とが等しくなることから、受光素子３７ａの出力信号レベルと受光素子３７ｂの出力信号レベルとが等しくなる。一方、集光スポット４５が円周方向Ｃの左右いずれかにずれている場合、受光素子３７ａの出力信号レベルと受光素子３７ｂの出力信号レベルとは相違する。このため、受光素子３７ａおよび受光素子３７ｂの各出力信号レベルを監視しながら光分割素子２０を光軸回りに回転させ、受光素子３７ａの出力信号レベルと受光素子３７ｂの出力信号レベルとが等しくなる回転位置（スポット中心４５ａが中央線３７ｃ上に配置される位置）を、光分割素子２０の取り付け位置（回転位置）とする。このとき、上述の通り、他の集光スポット４１〜４４も、それぞれ受光素子３３〜３６の中央に配置される。取り付け位置が決定されると、たとえば接着剤等の固定手段によって光分割素子２０がケース内に固定される。
【００５９】
なお、実際には、光学系の各部の製造上の誤差等により、光分割素子２０の光軸方向（図２参照）の位置が設計値よりも前後にずれる場合がある。この結果、光分割素子２０が受光部３０に近付く場合には、集光スポット４５は半径方向Ｒに移動し、０次光スポット４０に近付く。逆に、光分割素子２０が受光部３０から遠ざかる場合には、集光スポット４５は０次光スポット４０から半径方向Ｒに離れる。本実施形態では、集光スポット４５の半径方向Ｒの長さＬ１が受光素子３７ａおよび３７ｂの半径方向Ｒの長さＬ２よりも大きいため、光分割素子２０が光軸方向に（設計位置から）位置ずれした場合にも、受光素子３７ａおよび３７ｂの出力信号を十分に取り出すことが可能である。
【００６０】
また、光ディスク２００が多層ディスクである場合には、再生（または記録）対象の記録層以外の記録層からの戻り光（いわゆる迷光）が受光部３０に入射し、受光部３０の出力信号を劣化させる（迷光がノイズとなる）。光分割素子２０が戻り光を分割して信号光（第１信号光ＬＢ１および第２信号光ＬＢ２）のみならず位置調整光ＬＢ３も生成する場合には、迷光も同様に分割され、たとえば受光面３０ａ上で各集光スポット４１〜４５の付近にそれぞれ迷光ＳＬ１〜ＳＬ３が集光される。本実施形態では、上記のように、受光部３０の受光面３０ａ上において、０次光スポット４０から集光スポット４５までの距離Ｄ３が、０次光スポット４０から信号光（第１信号光ＬＢ１および第２信号光ＬＢ２）の集光スポットまでの距離Ｄ１およびＤ２よりも大きくなるように光分割素子２０が構成されている。これにより、集光スポット４５の付近に集光される迷光ＳＬ３（回折領域２１ｇによって回折された迷光）を各信号光の集光スポット（すなわちメイン受光素子３２ａ〜３２ｄおよび受光素子３３〜３６）から離間させることができるので、迷光ＳＬ３がメイン受光素子３２ａ〜３２ｄおよび受光素子３３〜３６に受光されるのを抑制することが可能である。
【００６１】
本実施形態では、上記のように、位置調整光ＬＢ３を生成する光分割素子２０と、位置調整光ＬＢ３を受光する受光素子３７ａ（３７ｂ）を有する受光部３０とを設けるとともに、光分割素子２０を、受光部３０における受光素子３７ａ（３７ｂ）によって受光された位置調整光ＬＢ３に基づいて位置調整されるように構成することによって、ディスク再生時の信号処理（信号再生やトラッキング制御など）に用いない位置調整用の位置調整光ＬＢ３および受光素子３７ａ（３７ｂ）を用いて、光分割素子２０の回転位置調整を行うことができる。この場合、信号光の集光スポット（４１〜４４）の場合よりも、位置調整光ＬＢ３の集光スポット４５の受光素子３７ａ（３７ｂ）の受光面に対する大きさをより大きくすることができる。これにより、光分割素子２０の回転角度変化に対する受光素子３７ａ（３７ｂ）の信号出力を、最適な回転位置近傍の狭い範囲ではなく広い角度範囲で連続的に変化させることができるので、光分割素子２０の最適な回転位置を容易に発見することができる。その結果、光分割素子２０の取り付け作業（回転位置調整）を容易かつ速やかに行うことができる。
【００６２】
また、本実施形態では、位置調整光ＬＢ３の集光位置（集光スポット４５）が、第１信号光ＬＢ１の集光位置（集光スポット４３および４４）と第２信号光ＬＢ２の集光位置（集光スポット４１および４２）との間の位置に配置されるように光分割素子２０を構成する。これにより、受光部３０では、予め設定された所定の角度間隔で設けられた第１信号光ＬＢ１用および第２信号光ＬＢ２用のそれぞれの受光素子３３〜３６の間の位置に受光素子３７ａ（３７ｂ）が配置されるので、受光素子３３〜３６に加えて受光素子３７ａ（３７ｂ）を設ける場合にも、受光部３０全体のサイズ（受光面３０ａの面積）が大型化するのを抑制することができる。
【００６３】
また、本実施形態では、位置調整光ＬＢ３の集光スポット４５を、円周方向Ｃにおける位置調整光ＬＢ３の集光スポット４５の両端が、受光素子３７ａ（３７ｂ）の受光面内で、かつ、受光面の円周方向Ｃにおける両端部３７ｄ近傍に配置される集光スポット形状に形成する。これにより、光分割素子２０の取り付け作業において光分割素子２０を回転させる場合に、受光素子３７ａ（３７ｂ）の円周方向Ｃの寸法分の略全域を利用して、光分割素子２０の回転位置調整を行うことができる。その結果、より広い回転角度範囲で受光素子３７ａ（３７ｂ）の信号出力を変化させることができるので、光分割素子２０の回転位置調整をさらに容易に行うことができる。
【００６４】
また、本実施形態では、位置調整光ＬＢ３の集光スポット４５を、中央線３７ｃ上にスポット中心４５ａが位置した場合に、中央線３７ｃを挟む両側の面積が等しい集光スポット形状に形成する。これにより、光分割素子２０の取り付け作業において光分割素子２０を回転させる場合に、一対の受光素子３７ａおよび３７ｂの各出力信号レベルを比較することにより、中央線３７ｃ上に集光スポット４５のスポット中心４５ａが配置されるときの光分割素子２０の回転位置を正確に特定することができる。このため、光分割素子２０の回転位置調整を容易かつ高精度に行うことができる。
【００６５】
また、本実施形態では、位置調整光ＬＢ３の集光スポット４５を、円周方向Ｃの中央部における半径方向Ｒの長さが最大のＬ１となる集光スポット形状に形成する。これにより、光分割素子２０の回転位置調整において、集光スポット４５のスポット中心４５ａが中央線３７ｃの近傍にある場合の各受光素子３７ａおよび３７ｂでの受光面積変化を大きくすることができる。すなわち、光分割素子２０の回転に伴って集光スポット中心４５ａが中央線３７ｃを受光素子３７ａ側から受光素子３７ｂ側に通り過ぎる場合に、一方の受光素子３７ａの受光面積が減少し、他方の受光素子３７ｂの受光面積が増大する。この際、たとえば集光スポットの中央部における半径方向Ｒの長さが小さく、集光スポット形状が集光スポット中心に向けて収束するような形状の場合、中央線３７ｃを横切る集光スポット中心での半径方向Ｒの長さが小さいため、各受光素子３７ａ（３７ｂ）での受光面積の変化量が小さくなる。これに対して、集光スポット４５の中央部における半径方向Ｒの長さＬ１が最大となる場合、中央線３７ｃを横切る半径方向Ｒの長さが大きいので、各受光素子３７ａ（３７ｂ）での受光面積の変化量が大きくなる。これにより、本実施形態では、中央線３７ｃ近傍の回転位置における出力信号レベルの変化を容易に把握することができるので、光分割素子２０の回転位置調整をより容易に行うことができる。
【００６６】
また、本実施形態では、光分割素子２０に複数の回折パターン２２ａ〜２２ｇ（回折領域２１ａ〜２１ｇ）を設け、位置調整光ＬＢ３用の回折パターン２２ｇ（回折領域２１ｇ）を、光分割素子２０のうち、光ディスク２００からの戻り光（光束ＬＢ）が透過する領域の中央部（回折領域２１ｇ）に配置する。これにより、光束ＬＢのうち、トラッキング制御などに用いる周辺部（第１信号光ＬＢ１および第２信号光ＬＢ２の回折領域２１ａ〜２１ｆ）を除いた中央部の光束を分割することによって、容易に、光ディスク信号処理には用いずに位置調整に用いる位置調整光ＬＢ３を生成することができる。
【００６７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６８】
たとえば、上記実施形態では、本発明を、ＢＤに対応した光ディスク装置に適用する例を示したが、本発明はこれに限られない。本発明を、ＢＤ以外にも、ＣＤおよびＤＶＤの一方または両方に対応した光ディスク装置に適用してもよく、ＢＤ、ＣＤおよびＤＶＤに対応した光ディスク装置に適用してもよい。
【００６９】
また、上記実施形態では、位置調整光の回折領域２１ｇを底辺の幅Ｗ１、底辺からの高さＨ１の平行四辺形状（図３参照）に形成した例を示したが、本発明はこれに限られない。本発明では、回折領域２１ｇの底辺の幅および高さの一方または両方を変化させてもよい。上記のように、位置調整光の集光スポット４５の形状は、位相関数Φによって表される回折パターン形状と、回折領域２１ｇの形状とによって決定されるので、たとえば回折領域２１ｇの幅を狭くした場合にも、これに併せて回折パターンを変更することによって、集光スポット４５と略同一の菱形形状の集光スポットにすることができる。一例として、回折領域２１ｇの底辺の幅をＷ１よりも狭くした場合には、図７に示す回折パターン１２２ｇのように、スリットの曲率が大きくなる（曲がり具合がきつくなる）。回折領域２１ｇの高さを変化させた場合も、同じように回折パターンを変更することによって、集光スポット４５と略同一形状の集光スポットを得ることができる。
【００７０】
また、上記実施形態では、位置調整光の回折領域２１ｇを略平行四辺形状に形成した例を示したが、本発明はこれに限られない。本発明では、位置調整光の回折領域を、たとえば長方形、正方形、円形、楕円形など、平行四辺形状以外の形状にしてもよい。
【００７１】
また、上記実施形態では、位置調整光の集光スポット４５を菱形形状に形成した例を示したが、本発明はこれに限られない。本発明では、位置調整光の集光スポットを、たとえば菱形以外の平行四辺形、長方形、正方形、円形、楕円形など、菱形以外の形状にしてもよい。
【００７２】
また、上記実施形態では、位置調整光の集光スポット４５の半径方向Ｒの長さＬ１（最大長さ）を、受光素子３７ａ（３７ｂ）の半径方向Ｒの長さＬ２よりも大きくした例を示したが、本発明はこれに限られない。本発明では、位置調整光の集光スポットの半径方向の最大長さを、受光素子の半径方向の長さ以下としてもよい。
【００７３】
また、上記実施形態では、スポット中心４５ａが中央線３７ｃ上に位置する状態で、集光スポット４５の円周方向Ｃの両端が受光素子３７ａ（３７ｂ）の両端部３７ｄの近傍に配置されるように、集光スポット４５の幅Ｗ２を設定した例を示したが、本発明はこれに限られない。本発明では、集光スポットの円周方向の両端が受光素子の両端部の近傍に配置されなくともよい。
【００７４】
また、上記実施形態では、中央線３７ｃ上にスポット中心４５ａが位置した場合に、中央線３７ｃを挟む集光スポット４５の両側の面積が等しくなるように集光スポット４５を形成した例を示したが、本発明はこれに限られない。本発明では、受光素子３７ａ（３７ｂ）の中央線３７ｃ上にスポット中心４５ａが位置した場合に、集光スポット４５の両側の面積が等しくなくともよい。スポット中心の位置に関わらず、受光素子３７ａ側の受光面積と受光素子３７ｂ側の受光面積とが等しくなる回転位置において、信号光の各集光スポットがそれぞれ受光素子の中央に配置されるように光分割素子と受光部とを構成すればよい。ただし、光分割素子と受光部との光軸方向の位置ずれに起因する集光スポット４５の半径方向の位置ずれを考慮すれば、スポット中心が中央線上に位置した状態で受光素子３７ａ側の受光面積と受光素子３７ｂ側の受光面積とが等しくなり、光分割素子が位置決めされるように光分割素子を構成した方が好ましい。
【００７５】
また、上記実施形態では、位置調整光の集光スポット４５を、円周方向Ｃにおいて、第１信号光ＬＢ１の集光位置（集光スポット４３および４４）と第２信号光ＬＢ２の集光位置（集光スポット４１および４２）との間の位置に配置した例を示したが、本発明はこれに限られない。本発明では、位置調整光の集光スポットを、０次光スポット４０を中心とした点対称となる位置に配置したり、０次光スポット４０を通るＹ軸またはＸ軸に対して線対称となる位置に配置したりしてもよい。ただし、この場合には、第１信号光および第２信号光の集光スポットと、位置調整光の集光スポットとが大きく離間するので、これに合わせて受光素子を配置すると受光部のサイズ（受光面全体の面積）が上記実施形態の構成と比較して大きくなる。
【００７６】
また、上記実施形態では、位置調整光の集光スポット４５を、円周方向Ｃの中央部における半径方向Ｒの長さが最大のＬ１となる集光スポット形状に形成する例を示したが、本発明はこれに限られない。本発明では、位置調整光の集光スポットを、円周方向Ｃの中央部以外の位置で半径方向の長さが最大となるように形成してもよい。
【００７７】
また、上記実施形態では、第１信号光ＬＢ１をトラッキング方向（Ｙ方向）側に向けて回折して集光スポット４３および４４を生成し、第２信号光ＬＢ２をトラック接線方向（Ｘ方向）側に向けて回折して集光スポット４１および４２を生成するように光分割素子２０を構成した例を示したが、本発明はこれに限られない。本発明では、第１信号光ＬＢ１をトラック接線方向（Ｘ方向）側に向けて回折し、第２信号光ＬＢ２をトラッキング方向（Ｙ方向）側に向けて回折してもよい。また、第１信号光および第２信号光の回折方向はＸ方向およびＹ方向以外の方向でもよい。
【符号の説明】
【００７８】
１  光ピックアップ
８  制御部
１０  光源
２０  光分割素子
２２ａ〜２２ｇ  回折パターン（回折格子）
３０  受光部
３３〜３６  受光素子（信号光受光部）
３７ａ、３７ｂ  受光素子（調整光受光部、受光領域）
３７ｃ  中央線
４５  集光スポット（位置調整光の集光スポット）
１００  光ディスク装置
２００  光ディスク
Ｃ  円周方向
ＬＢ１  第１信号光（信号光）
ＬＢ２  第２信号光（信号光）
ＬＢ３  位置調整光
Ｒ  半径方向
【図１】
2014154181.tif 000003
【図２】
2014154181.tif 000004
【図３】
2014154181.tif 000005
【図４】
2014154181.tif 000006
【図５】
2014154181.tif 000007
【図６】
2014154181.tif 000008
【図７】
2014154181.tif 000009